(57)【特許請求の範囲】
【請求項１】
前倒可能なシートバック本体（２）  の頂部にヘッドレスト（３）  を昇降動自在に組み込むとともに、ヘッドレスト（３）  とシートバック本体（２）  との間には、両者の間隔が狭められる方向に弾発されるカップ保持プレート（７）  を設けて、シートバック本体（２）  が前倒されたときにヘッドレスト（３）  とシートバック本体（２）  との間をカップホルダーとして利用できるようにしてあることを特徴とする車輌用シート。
【請求項２】
ヘッドレスト（３）  の裏側下方部が、カップ受け用の切欠段部（４）  に形成されている請求項１に記載の車輌用シート。
【請求項３】
シートバック本体（２）  の頂部と切欠段部（４）  のカップ受け面に成形プレート（５ａ）、（５ｂ）が添装されている請求項２に記載の車輌用シート。
【発明の詳細な説明】
【０００１】
【発明の属する技術分野】
本発明は、カップ等をガタツクことなく確実に保持することができるカップホルダー機能を有する車輌用シートに関するものである。
【０００２】
【従来の技術】
従来から、シートバックをシートクッション側へ前倒可能にした車輌用シートは周知であり、更にこのシートバックの背面にテーブル面を設けてこのテーブル面にカップ受けを組み込んだものも知られている（例えば、実開昭６２−７１０５５号公報や実開昭６３−１８９８２９号公報参照）。
【０００３】
ところが、従来のカップホルダー機能を有する車輌用シートではカップの保持力が甘いため、ガタツキが発生したり走行中に急ブレーキをかけた時のように大きな衝撃がかかった場合にはカップの保持状態を維持しきれずカップが転倒してしまうという問題点があった。一方、カップの保持力を高めようとすると構造的に複雑となり使い勝手が悪くなるとともに、生産コストが高くなるという問題点があった。
【０００４】
【発明が解決しようとする課題】
本発明は上記のような従来の問題点を解決して、十分な保持力があってカップ等をガタツクことなく確実に保持することができるとともに、急ブレーキをかけた時のように大きな衝撃がかかった場合にもカップ等の転倒を防止することができ、また簡単な機構で優れた操作性を発揮することができ、更には生産コストも安くコストダウンを図ることもできる車輌用シートを提供することを目的として完成されたものである。
【０００５】
【課題を解決するための手段】
上記の課題を解決するためになされた本発明の車輌用シートは、前倒可能なシートバック本体の頂部にヘッドレストを昇降動自在に組み込むとともに、ヘッドレストとシートバック本体との間には、両者の間隔が狭められる方向に弾発されるカップ保持プレートを設けて、シートバック本体が前倒されたときにヘッドレストとシートバック本体との間をカップホルダーとして利用できるようにしてあることを特徴とするものである。
【０００６】
【発明の実施の形態】
以下に、図面を参照しつつ本発明の好ましい実施の形態を示す。
図面は、本発明をリヤシートに適用した場合を示すものであって、１はシートクッション、２はシートバック本体、３はこのシートバック本体２の上部に設けられた昇降動自在なヘッドレストで、この前倒可能なシートバック本体２の頂部にヘッドレスト３を昇降動自在に組み込んであるシートバックは、周知のリクライニング機構によりシートクッション１の上面に向け前倒可能とされており、以上のような構成は基本的に従来の車輌用シートと同じである。
【０００７】
そして、本発明においては前記したシートバック本体２の頂部とヘッドレスト３の下面との間に、両者の間隔が狭められる方向に弾発されるカップ保持プレート７を設けて、シートバック本体２が前倒されたときにヘッドレスト３とシートバック本体２との間をカップホルダーとして利用できるようにしてある点に特徴的構成を有する。このような構成とするためこの実施の形態では、ヘッドレスト３の裏側下方部をカップ受け用の切欠段部４に形成する一方、シートバック本体２の頂部にバネ部材６によって常時切欠段部４に向けて押圧するカップ保持プレート７を設けて、前記シートバック本体２をシートクッション１の上面に向け前倒させた状態でヘッドレスト３をカップ等の外径と略合致するようにスライド移動し、切欠段部４とシートバック本体２の頂部とで形成される凹部内へカップや飲料缶等の下方部を収納すると、カップや飲料缶等が切欠段部４とカップ保持プレート７との間で弾発挟持されてガタツクことなく確実に保持されるようになっている。
【０００８】
なお、カップ保持プレート７はヘッドレスト３のスライド移動により形成されるヘッドレスト３とシートバック本体２との間隔を弾発力を利用してヘッドレストステー３ａに形成されたロック溝の間隔より細かく調節するためのもので、カップ保持プレート７がカップ等に密着することにより確実な挟持状態を得るのであるから、このカップ保持プレート７はシートバック本体２の頂部とヘッドレスト３との間にあればよく、従って、カップ保持プレート７をヘッドレスト３側に設けても良い。また、シートバック本体２はその背面をテーブルとして利用できるようにパネル付きのものとしてもよいことは勿論である。
【０００９】
さらに、前記切欠段部４の内面およびシートバック本体２の頂部を覆うようにプラスチック製の成形プレート５ａ、５ｂが添装されている。そして、この成形プレート５ａ、５ｂが強度の維持と外観の向上とを図るとともに、シートバック本体２およびヘッドレスト３のカバー部材端末を隠蔽できるようにしてあり、従って、シートバック本体２およびヘッドレスト３をカバー部材で被包する場合、端末処理を施す手間が省けるとともに見栄えも優れたものとなる。。なお、シートバック２の頂部に添装した成形プレート５ｂは、ヘッドレストステー３ａのサポート部材としての機能も備えるものである。
【００１０】
このように構成されたものは、通常はシートバック本体２とヘッドレスト３とで構成されたシートバックが周知のリクライニング機構によりシートクッション１の上面に向け前倒可能とされた車輌用シートとして使用に供される点は従来と同様であるが、カップホルダー機能を発揮させる場合には、シートバック本体２を前倒したうえ昇降動自在なヘッドレスト３を引き出して切欠段部４とシートバック本体２の頂部とで形成される凹部内へカップ等（図示のものではボトル）の下方部を収納し、更にヘッドレスト３をヘッドレストステー３ａのロック溝がロックされる位置まで押し戻せば、カップ等はヘッドレスト３の切欠段部４とシートバック本体２との間に介在されて両者の間隔が狭められる方向に弾発されるカップ保持プレート７との間に確実に密着挟持状態となるので、カップ等の転倒は確実に防止されることとなる。
【００１１】
また、切欠段部４およびシートバック本体２の裏面に成形プレート５ａ、５ｂが添装されているものでは、強度の維持と外観の向上とが図られるうえに、この成形プレート５ａ、５ｂによりシートバック２およびヘッドレスト３を覆うカバー部材の端末を隠すことができるので、端末処理を施す手間が省けるとともに見栄えも優れたものとなる。
【００１２】
【発明の効果】
以上の説明からも明らかなように、本発明は十分な保持力があってカップ等をガタツクことなく確実に保持することができるとともに、急ブレーキをかけた時のように大きな衝撃がかかった場合にもカップ等の転倒を防止することができ、また簡単な機構で優れた操作性を発揮することができ、更には生産コストも安くコストダウンを図ることもできるものである。
よって本発明は従来の問題点を一掃した車輌用シートとして、産業の発展に寄与するところは極めて大である。
【図面の簡単な説明】
【図１】本発明の実施の形態を示す斜視図である。
【図２】本発明の実施の形態を示す要部の斜視図である。
【図３】本発明の実施の形態を示す要部の断面図である。
【符号の説明】
１  シートクッション
２  シートバック本体
３  ヘッドレスト
４  切欠段部
５ａ    成形プレート
５ｂ  成形プレート
７  カップ保持プレート
【図１】
0003580686.tif 000002
【図２】
0003580686.tif 000003
【図３】
0003580686.tif 000004